(57)【要約】      （修正有）【課題】終端部材を固定対象物に固定して使用しても該終端部材が損傷し難い蓄電装置を提供する。【解決手段】蓄電素子と、蓄電素子と第一方向に隣り合う終端部材４０と、を備え、終端部材は、第一方向と直交する面方向に広がる本体４１と、本体における第一方向と直交する第二方向の端部である第一端部４１Ａと連接し且つ固定対象物に固定可能な固定部４２と、を有し、本体における第一方向及び第二方向と直交する第三方向の端部である第二端部４３では、第二方向における固定部側の端部を含む第一部位４３１と、第二方向において第一部位と隣接する第二部位４３２とが、本体における第二端部と第三方向において隣接する部位に対して互いに反対側に曲がると共に、該第一部位と該第二部位との境界部Ｂが捻じれていることを特徴とする。【選択図】図３
2020030915.tif 000002
【特許請求の範囲】
【請求項１】
蓄電素子と、
前記蓄電素子と第一方向において隣り合う終端部材と、を備え、
前記終端部材は、
前記第一方向と直交する面方向に沿って広がる本体と、
前記本体における前記第一方向と直交する第二方向の端部である第一端部と連接し且つ固定対象物に固定可能な固定部と、を有し、
前記本体における前記第一方向及び前記第二方向と直交する第三方向の端部である第二端部では、前記第二方向における固定部側の端部を含む第一部位と、前記第二方向において前記第一部位と隣接する第二部位とが、前記本体における該第二端部と前記第三方向において隣接する部位に対して互いに反対側に曲がると共に、該第一部位と該第二部位との境界部が捻じれている、蓄電装置。
【請求項２】
前記固定部は、前記本体の第一端部における前記第三方向の端部から前記第一方向に沿って延び、且つ、前記第一方向及び前記第三方向を含む面に沿った板状であり、
前記固定部における前記第三方向の前記第二端部側の端部である第三端部は、前記第一部位と連続し、且つ、該固定部における該第三端部と前記第三方向において隣接する部位に対して前記第一部位が位置する側に曲がっている、請求項１に記載の蓄電装置。
【発明の詳細な説明】
【技術分野】
【０００１】
本発明は、蓄電素子と隣り合う終端部材を備える蓄電装置に関する。
【背景技術】
【０００２】
従来から、筐体の壁等に固定される電池モジュールが知られている（特許文献１参照）。具体的に、この電池モジュールは、図８に示すように、一方向に配列された複数の二次電池５０１から構成される電池群５０１Ａと、この電池群５０１Ａの両側に配置されたエンドプレート５１０と、を有している。
【０００３】
二次電池５０１は、例えば直方体形状のケース内に電極組立体が収容されてなるリチウムイオン二次電池である。エンドプレート５１０は、筐体５０２の壁５０２ａにボルト５０３及びナット５０４で固定され、複数の二次電池５０１を二次電池５０１の配列方向の両側から拘束する。エンドプレート５１０は、Ｌ字状を呈している。エンドプレート５１０は、挟持部５１１と、この挟持部５１１の一端から垂直に屈曲した固定部５１２と、を有している。固定部５１２には、ボルト５０３の軸部５０３ａが通る複数の挿通孔５１３が設けられている。固定部５１２には、複数のナット５０４が挿通孔５１３を覆うように溶接で固定されている。
【０００４】
この電池モジュール５００を筐体５０２に取り付けるときは、電池モジュール５００を筐体５０２内に収容し、エンドプレート５１０にそれぞれ固定されたナット５０４を筐体５０２の挿通孔５０２ｂの位置に合わせる。そして、筐体５０２の外側からボルト５０３の軸部５０３ａを筐体５０２の挿通孔５０２ｂ及びエンドプレート５１０の挿通孔５１３に通してナット５０４と螺合させ、ボルト５０３をナット５０４に対して締め付ける。これにより、電池モジュール５００が筐体５０２に固定される。
【０００５】
以上の電池モジュール５００では、筐体５０２に振動が加わると、該振動の前記配列方向成分によって二次電池５０１が前記配列方向に振動等することで挟持部５１１が電池群５０１Ａによって押圧される。このとき、固定部５１２が筐体５０２に固定されているため、挟持部５１１が固定部５１２を支点にして倒れるようにエンドプレート５１０が変形しようとし、これにより、挟持部５１１の固定部５１２側において応力集中が生じ、その結果、エンドプレート５１０が損傷する場合があった。
【先行技術文献】
【特許文献】
【０００６】
【特許文献１】特開２０１７−１４２９４２号公報
【発明の概要】
【発明が解決しようとする課題】
【０００７】
そこで、本実施形態は、終端部材を固定対象物に固定して使用しても該終端部材が損傷し難い蓄電装置を提供することを目的とする。
【課題を解決するための手段】
【０００８】
本実施形態の蓄電装置は、
蓄電素子と、
前記蓄電素子と第一方向において隣り合う終端部材と、を備え、
前記終端部材は、
前記第一方向と直交する面方向に沿って広がる本体と、
前記本体における前記第一方向と直交する第二方向の端部である第一端部と連接し且つ固定対象物に固定可能な固定部と、を有し、
前記本体における前記第一方向及び前記第二方向と直交する第三方向の端部である第二端部では、前記第二方向における固定部側の端部を含む第一部位と、前記第二方向において前記第一部位と隣接する第二部位とが、前記本体における該第二端部と前記第三方向において隣接する部位に対して互いに反対側に曲がると共に、該第一部位と該第二部位との境界部が捻じれている。
【０００９】
かかる構成によれば、第二端部の第一部位と第二部位との境界部が捻じれていることでバネ性を有するため、固定部が固定対象物に固定された状態で蓄電装置に振動等が加わることで本体が蓄電素子に押圧されて固定部を支点に倒れるように終端部材が変形しようとしたときに、前記境界部が伸びる（捻じれが戻るように変形する）ことで、前記押圧に起因する応力が吸収され、これにより、終端部材の損傷が抑えられる。
【００１０】
前記蓄電装置では、
前記固定部は、前記本体の第一端部における前記第三方向の端部から前記第一方向に沿って延び、且つ、前記第一方向及び前記第三方向を含む面に沿った板状であり、
前記固定部における前記第三方向の前記第二端部側の端部である第三端部は、前記第一部位と連続し、且つ、該固定部における該第三端部と前記第三方向において隣接する部位に対して前記第一部位が位置する側に曲がっていてもよい。
【００１１】
かかる構成によれば、本体と固定部との境界部を含む終端部材の第三方向の端部（第一部位と第三端部）が、第一部位と連続した状態で該端部と第三方向において隣接する部位に対して曲がっていることで、本体と固定部との境界部の強度を確保することができる。
【発明の効果】
【００１２】
以上より、本実施形態によれば、終端部材を固定対象物に固定して使用しても該終端部材が損傷し難い蓄電装置を提供することができる。
【図面の簡単な説明】
【００１３】
【図１】図１は、本実施形態に係る蓄電装置の斜視図である。
【図２】図２は、前記蓄電装置の分解斜視図である。
【図３】図３は、前記蓄電装置が備える終端部材の斜視図である。
【図４】図４は、前記終端部材をＸ軸方向から見た図である。
【図５】図５は、図３のＶに示す位置の拡大斜視図である。
【図６】図６は、図５のＶＩ−ＶＩ位置における断面図である。
【図７】図７は、図５のＶＩＩ−ＶＩＩ位置における断面図である。
【図８】図８は、従来の電池モジュールの縦断面図である。
【発明を実施するための形態】
【００１４】
以下、本発明の一実施形態について、図１〜図７を参照しつつ説明する。尚、本実施形態の各構成部材（各構成要素）の名称は、本実施形態におけるものであり、背景技術における各構成部材（各構成要素）の名称と異なる場合がある。
【００１５】
蓄電装置は、図１及び図２に示すように、蓄電素子２と、蓄電素子２と所定の方向（第一方向）において隣り合う終端部材４０を含み且つ蓄電素子２を保持する保持部材４と、を備える。また、蓄電装置１は、蓄電素子２と隣り合う隣接部材３と、蓄電素子２と保持部材４との間に配置されるインシュレータ５と、異なる蓄電素子２同士又は蓄電素子２と外部入出力用端子４７等とを導通可能に接続するバスバ６と、を備える。本実施形態の蓄電装置１は、複数の蓄電素子２と、複数の隣接部材３と、を備え、保持部材４は、複数の蓄電素子２と複数の隣接部材３とをひとまとめに保持する。
【００１６】
複数の蓄電素子２は、前記所定の方向に並ぶ。これら複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００１７】
複数の蓄電素子２のそれぞれは、電極体と、電極体を電解液と共に収容するケース２１と、少なくとも一部がケース２１の外側に露出する外部端子２２と、を有する。
【００１８】
ケース２１は、開口を有するケース本体２１１と、ケース本体２１１の開口を塞ぐ（閉じる）板状の蓋板２１６と、を有する。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３と、を備える。胴部２１３は、偏平な角筒形状を有する。この胴部２１３は、閉塞部２１２の周縁における長辺から延びる一対の長壁部２１４と、閉塞部２１２の周縁における短辺から延びる一対の短壁部２１５とを有する。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が配置されている。
【００１９】
本実施形態の蓄電装置１では、複数の蓄電素子２は、ケース２１（ケース本体２１１）の長壁部２１４同士を互いに対向させた状態で並んでいる。
【００２０】
以下では、複数の蓄電素子２が並ぶ方向（第一方向）を直交座標系のＸ軸とし、ケース本体２１１の短壁部２１５が対向する方向（第三方向）を直交座標系のＹ軸とし、閉塞部２１２と蓋板２１６とが対向する方向（第二方向）を直交座標系のＺ軸とする。
【００２１】
隣接部材３は、Ｘ軸方向に並ぶ二つの蓄電素子２の間、又は、Ｘ軸方向の最も端の蓄電素子２と該蓄電素子２に対してＸ軸方向に並ぶ部材（本実施形態の例では、保持部材４に含まれる終端部材４０）との間に配置される。この隣接部材３は、樹脂等の絶縁性を有する部材によって構成される。また、隣接部材３は、隣接する蓄電素子２との間に該蓄電素子２の温度調整用の流体が流通可能な流路を形成する。
【００２２】
保持部材４は、複数の蓄電素子２と複数の隣接部材３との周囲を囲むことにより、これら複数の蓄電素子２及び複数の隣接部材３をひとまとめに保持する。この保持部材４は、金属等の導電性を有する部材によって構成されている。具体的に、保持部材４は、Ｘ軸方向において複数の蓄電素子２の両側に配置される一対の終端部材４０と、終端部材４０におけるＹ軸方向の端部同士を接続する接続部材４４と、を有する。また、保持部材４は、終端部材４０と接続部材４４とを固定（連結）する固定部材４５を有する。本実施形態の固定部材４５は、ボルト４５１とナット４５２である。本実施形態の蓄電装置１では、一対の接続部材４４が、一対の終端部材４０におけるＹ軸方向の両側の端部同士を接続している。
【００２３】
一対の終端部材４０のそれぞれは、Ｘ軸方向の端に配置された蓄電素子２との間に隣接部材３を挟み込むように配置される。具体的に、各終端部材４０は、図３〜図７にも示すように、Ｘ軸方向と直交する面（Ｙ軸及びＺ軸を含む面：Ｙ−Ｚ面）方向に沿って広がる本体４１と、本体４１におけるＺ軸方向の一方側（図３における下方側）の端部である第一端部４１Ａと連接し且つ固定対象物に固定可能な固定部４２と、を有する。
【００２４】
本体４１は、Ｘ軸方向から見て蓄電素子２と重なる部位である第一本体４１１と、Ｚ軸方向における第一本体４１１の一方側の端部から延びる第二本体４１２と、を有する。
【００２５】
第一本体４１１は、Ｘ軸方向から見て蓄電素子２と対応した矩形状の部位であり、Ｘ軸方向に貫通する穴４１１１をＹ軸方向の両端部に有する。この穴４１１１には、終端部材４０と接続部材４４とを固定するための固定部材４５（詳しくは、ボルト４５１）が挿通される。本実施形態の第一本体４１１では、Ｚ軸方向に間隔をあけた二つの穴４１１１が、Ｙ軸方向の一方側の端部と他方側の端部とのそれぞれに配置されている。
【００２６】
本実施形態の第一本体４１１では、蓄電素子２側の面に、終端部材４０と接続部材４４とを連結する固定部材４５を構成するナット４５２が配置されている。このナット４５２は、第一本体４１１における穴４１１１と対応する位置に溶接されている。
【００２７】
第二本体４１２は、矩形状の第一本体４１１における蓄電素子２の閉塞部２１２と対応する辺４１１ａから延びる部位である。本実施形態の本体４１は、Ｙ軸方向に間隔をあけて配置される二つの第二本体４１２を有する。これら二つの第二本体４１２のそれぞれは、第一本体４１１のＺ軸方向の一方側の端部におけるＹ軸方向の両端から、Ｚ軸方向の一方側に延びる。本実施形態の二つの第二本体４１２のそれぞれは、Ｙ−Ｚ面に沿った板状である。
【００２８】
以上の本体４１におけるＹ軸方向の端部（第二端部）４３は、本体４１において第二端部４３とＹ軸方向に隣接する部位（隣接部位）４３３に対して曲がっている。本実施形態の本体４１では、Ｙ軸方向の両側の第二端部４３のそれぞれが、隣接部位４３３に対して曲がっている。これら二つの第二端部４３のそれぞれは、該第二端部４３におけるＺ軸方向の一方側の端部（固定部４２側の端部）を含む第一部位４３１と、Ｚ軸方向において第一部位４３１と隣接する第二部位４３２とを有する。
【００２９】
各第二端部４３における第一部位４３１と第二部位４３２とは、隣接部位４３３に対して互いに反対側に曲がっている。詳しくは、第一部位４３１は、隣接部位４３３からＹ軸方向の外側に向けて順に、隣接部位４３３に対してＸ軸方向の外側（蓄電素子２と反対側）に向けて曲がる第一リブ部４３１Ａと、第一リブ部４３１Ａに対してＹ軸方向の外側に向けて曲がる第二リブ部４３１Ｂと、を有する（図５及び図６参照）。また、第二部位４３２は、隣接部位４３３に対してＸ軸方向の内側（蓄電素子２の側）に向けて曲がっている。本実施形態の第二部位４３２には、Ｚ軸方向の中央部に切り欠き４３２Ａが形成されている。この切り欠き４３２Ａは、Ｚ軸方向において、間隔をあけて配置される二つの穴４１１１の間に位置している。
【００３０】
そして、第二端部４３において、これら第一部位４３１と第二部位４３２とが連続し且つ隣接部位４３３に対して互いに反対側（Ｘ軸方向の一方側と他方側と）に曲がっているため、第一部位４３１と第二部位４３２との境界部Ｂは捻じれている（連続的に向きが変わっている：図３及び図５参照）。この境界部Ｂ（第一部位４３１と第二部位４３２とが隣接部位４３３に対して互いに反対側に曲がることで生じた第二端部４３における捻じれ）は、Ｚ軸方向における本体４１の中央位置より一方側（図３における下側）、より具体的には、第二本体４１２に形成されている。
【００３１】
本実施形態の本体４１では、第一本体４１１のＺ軸方向における一方側の端部４１１２と二つの第二本体４１２のそれぞれのＹ軸方向の内側の端部４１２１とは、Ｘ軸方向の外側に向けて曲がっている。
【００３２】
固定部４２は、蓄電装置１を設置面（固定対象物）に固定するのに用いられる。固定部４２は、第二本体４１２の先端（本体４１の第一端部４１Ａ）からＸ軸方向に沿って延び且つＸ−Ｙ面（Ｘ軸とＹ軸とを含む面）に沿った板状の部位である。本実施形態の固定部４２は、二つの第二本体４１２の各先端からＸ軸方向の外向き（蓄電素子２から離れる方向）にそれぞれ延びる。各固定部４２は、Ｚ軸方向に貫通する穴４２１を有する。この穴４２１に例えばボルトが挿通された状態で、該ボルトが設置面に設けられたネジ穴に螺入され、締め込まれることで、蓄電装置１が設置面に固定される。
【００３３】
以上の固定部４２におけるＹ軸方向の外側の端部（第三端部）４２２は、固定部４２において第三端部４２２とＹ軸方向に隣接する部位（隣接部位）４２３に対して曲がっている。本実施形態の第三端部４２２は、第一部位４３１と連続し且つ隣接部位４２３に対して第一部位４３１が位置する側（本実施形態の例では、Ｚ軸方向の他方側：図３における上側）に曲がっている。
【００３４】
ここで、「隣接部位４２３に対して第一部位４３１が位置する側に第三端部４２２が曲がっている」とは、本体４１と固定部４２とをＺ軸方向に沿って真っ直ぐになるように伸ばしたときに（本体４１における隣接部位４３３のＹ軸方向の端縁部が延びる方向と、固定部４２における隣接部位４２３のＹ軸方向の端縁部が延びる方向とを一致させたときに）、第一部位４３１が隣接部位４３３、４２３に対して曲がっている（第一部位４３１が位置している）側に第三端部４２２が曲がっている（位置している）ことである。
【００３５】
具体的に、第三端部４２２は、隣接部位４２３からＹ軸方向の外側に向けて順に、隣接部位４２３に対してＺ軸方向の他方側に向けて曲がり且つ第一部位４３１の第一リブ部４３１Ａと連続する第三リブ部４２２Ａと、第三リブ部４２２Ａに対してＹ軸方向の外側に向けて曲がり且つ第一部位４３１の第二リブ部４３１Ｂと連続する第四リブ部４２２Ｂと、を有する（図５及び図７参照）。
【００３６】
また、各固定部４２におけるＹ軸方向の内側の端部４２４は、Ｚ軸方向の他方側に向けて曲がっている。各固定部４２の内側の端部４２４は、本体４１の端部４１１２、４１２１と連続し、これら本体４１の各端部４１１２、４１２１と共に終端部材４０の内側リブ部４１Ｒを構成する。
【００３７】
以上のように構成される一対の終端部材４０のそれぞれは、図１及び図２に示すように、Ｘ軸方向に並ぶ複数の蓄電素子２の両外側において、隣接部材３に当接した状態で該隣接部材３を蓄電素子２（詳しくは、Ｘ軸方向の最も外側に配置される蓄電素子２）との間に挟み込むように配置されている。
【００３８】
一対の接続部材４４は、Ｙ軸方向において複数の蓄電素子２の両側に配置される。これら一対の接続部材４４のそれぞれは、複数の蓄電素子２のそれぞれの短壁部２１５に沿ってＸ軸方向に延びる接続部材本体４４１と、接続部材本体４４１のＺ軸方向の他方側の端部からＹ軸方向に沿って延びる（複数の蓄電素子２のそれぞれの閉塞部２１２に沿って延びる）第一延設部４４２と、第一延設部４４２からＺ軸方向の一方側に延びる第二延設部４４３と、を有する。また、一対の接続部材４４のそれぞれは、接続部材本体４４１のＸ軸方向の端部から終端部材４０におけるＸ軸方向の外側を向いた面に沿ってＹ軸方向に延びる被連結部４４４を有する。本実施形態の接続部材４４は、Ｘ軸方向の両端部のそれぞれに、被連結部４４４を有する。即ち、一対の接続部材４４のそれぞれは、一対の被連結部４４４を有する。
【００３９】
一対の被連結部４４４のそれぞれは、接続部材４４において、終端部材４０（詳しくは、第一本体４１１）のＹ軸方向の端部に連結される部位である。この被連結部４４４は、Ｙ−Ｚ面に沿って広がり且つＺ軸方向に長尺な板状の部位であり、Ｚ軸方向における第二端部４３の第二部位４３２に相当する位置に配置されている。また、被連結部４４４は、終端部材４０のＹ軸方向の端部に設けられた穴４１１１と対応する位置（Ｘ軸方向から見て重なる位置）に、穴４４４１を有する。本実施形態の終端部材４０では、Ｙ軸方向の各端部にＺ軸方向に間隔をあけて配置される二つの穴４１１１が設けられているため、各被連結部４４４にも、Ｚ軸方向に間隔をあけた二つの穴４４４１が設けられている。
【００４０】
本実施形態の蓄電装置１では、固定部材４５を構成するボルト４５１が接続部材４４の被連結部４４４の穴４４４１及び終端部材４０の穴４１１１を挿通した状態で、終端部材４０の蓄電素子２側の面に配置されたナット４５２と螺合し、締め込まれることで、接続部材４４の被連結部４４４と終端部材４０とが連結（固定）される。
【００４１】
インシュレータ５は、絶縁性を有し、接続部材４４と複数の蓄電素子２との間に配置される。このインシュレータ５は、接続部材４４における少なくとも複数の蓄電素子２と対向する領域を覆う。具体的に、本実施形態のインシュレータ５は、接続部材本体４４１における各蓄電素子２を向いた面、第一延設部４４２における各蓄電素子２を向いた面、及び、第二延設部４４３におけるＹ軸方向の内側を向いた面、を少なくとも覆う。これにより、インシュレータ５は、接続部材４４と、複数の蓄電素子２との間を絶縁する。
【００４２】
バスバ６は、金属等の導電性を有する板状の部材である。バスバ６は、蓄電素子２の外部端子２２同士、又は、蓄電素子２の外部端子２２と外部入出力用端子４７とを導通させる。バスバ６は、蓄電装置１において複数（蓄電素子２の数及び外部入出力用端子４７の数と対応する数）設けられる。本実施形態の複数のバスバ６は、蓄電装置１に含まれる複数の蓄電素子２の全てを直列に接続する（導通させる）。
【００４３】
以上の蓄電装置１によれば、第二端部４３の第一部位４３１と第二部位４３２との境界部Ｂが捻じれていることでバネ性を有するため、固定部４２が設置面（固定対象物）に固定された状態で蓄電装置１に振動等が加わることで本体４１が蓄電素子２に押圧されて固定部４２を支点に倒れるように終端部材４０が変形しようとしたときに、境界部Ｂが伸びる（即ち、捻じれが戻るように変形する）ことで、前記押圧に起因する応力が吸収され、これにより、終端部材４０の損傷が抑えられる。
【００４４】
また、本実施形態の蓄電装置１では、固定部４２の第三端部４２２が、本体４１の第二端部４３における第一部位４３１と連続し、且つ、固定部４２の隣接部位４２３に対して第一部位４３１が位置する側に曲がっている。このように、本体４１と固定部４２との境界部を含む終端部材４０のＹ軸方向の端部（第一部位４３１と第三端部４２２）が、該端部とＹ軸方向において隣接する部位（隣接部位４３３、４２３）に対して曲がっている（いわゆるリブ形状を構成している）ことで、本体４１と固定部４２との境界部（曲がっている部位）の強度を確保することができる。
【００４５】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４６】
上記実施形態の蓄電装置１では、第一部位４３１と第二部位４３２との境界部Ｂが捻じれている第二端部４３が、Ｙ軸方向における終端部材４０の両端部にそれぞれ配置されているが、この構成に限定されない。第一部位４３１と第二部位４３２との境界部Ｂが捻じれている第二端部４３が、Ｙ軸方向における終端部材４０の一方の端部のみに形成されていてもよい。かかる構成によっても、終端部材４０の本体４１が蓄電素子２によって押圧されたときに、境界部Ｂが伸びる（捻じれが戻るように変形する）ことで、前記押圧に起因する応力が吸収される。これにより、終端部材４０の損傷が抑えられる。
【００４７】
第二端部４３における境界部Ｂの位置は限定されない。固定部４２が設置面（固定対象物）に固定された状態で本体４１が蓄電素子２に押されて固定部４２を支点に倒れるように終端部材４０が変形しようとしたときに、終端部材４０の固定部４２周辺で生じる応力を吸収させて該部位（固定部４２周辺）での応力集中を効果的に抑えるためには、捻じれ形状の境界部Ｂが、第二端部４３における固定部４２に近い位置に配置されることが好ましい。
【００４８】
しかし、捻じれ形状の境界部Ｂが、第二端部４３においてＺ軸方向のいずれかの位置に配置されていれば、境界部Ｂがバネ性を有しているため、振動等によって蓄電素子２等から終端部材４０に力が加わったときに境界部Ｂの捻じれが戻るように変形することで終端部材４０における境界部Ｂ周辺に生じる応力が吸収される。これにより、終端部材４０の損傷が抑えられる。
【００４９】
上記実施形態の蓄電装置１では、第二端部４３の第一部位４３１と連続した状態で固定部４２の第三端部４２２が隣接部位４２３に対して曲がっているが、この構成に限定されない。固定部４２の第三端部４２２は、隣接部位４２３に対して曲がらない、即ち、真っ直ぐな構成であってもよい。
【００５０】
また、上記実施形態の蓄電装置１では、第一部位４３１が隣接部位４３３に対してＸ軸方向の外側に向けて曲がり、第二部位４３２が隣接部位４３３に対してＸ軸方向の内側に向けて曲がっているが、この構成に限定されない。第一部位４３１が隣接部位４３３に対してＸ軸方向の内側に向けて曲がり、第二部位４３２が隣接部位４３３に対してＸ軸方向の外側に向けて曲がっていてもよい。この場合、固定部４２の第三端部４２２は、Ｚ軸方向の一方側に曲がる。
【００５１】
また、上記実施形態の蓄電装置１では、第二端部４３に境界部Ｂ（捻じれ形状の部位）が一つ配置されているが、複数配置されてもよい。この場合、第二端部４３において、隣接部位４３３に対してＸ軸方向の外側に向けて曲がる部位（第一部位４３１に相当する部位）と内側に向けて曲がる部位（第二部位４３２に相当する部位）とが、Ｚ軸方向において交互に三つ以上並ぶ。
【００５２】
また、上記実施形態の蓄電装置１では、捻じれ形状の端部（境界部Ｂ）が本体４１におけるＹ軸方向の外側の端部（第二端部４３）に配置されているが、この構成に限定されない。例えば、捻じれ形状の端部（境界部Ｂ）は、第二本体４１２のＹ軸方向の内側に配置されてもよい。即ち、捻じれ形状の端部（境界部Ｂ）は、内側リブ部４１Ｒを構成する第二本体４１２の端部４１２１に設けられてもよい。
【００５３】
上記実施形態の蓄電装置１では、終端部材４０において、固定部４２が本体４１に対してＸ軸方向の外側に向けて延びているが、この構成に限定されない。固定部４２は、本体４１に対してＸ軸方向の内側に向けて延びていてもよい。
【００５４】
また、固定部４２は、本体４１に対して直交する方向（本体４１の法線方向：上記実施形態の例では、Ｘ軸方向）に延びているが、本体４１に対して傾斜する方向（前記法線方向と交差する方向）等に延びていてもよい。
【００５５】
また、上記実施形態の蓄電装置１では、終端部材４０の本体４１において、二つの第二本体４１２の間に空間が形成されている、即ち、本体４１の一部が切り欠かれた形状であるが、この構成に限定されない。本体４１は、矩形状等のような切り欠きのない形状等であってもよい。
【００５６】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【符号の説明】
【００５７】
１…蓄電装置、２…蓄電素子、２１…ケース、２１１…ケース本体、２１２…閉塞部、２１３…胴部、２１４…長壁部、２１５…短壁部、２１６…蓋板、２２…外部端子、３…隣接部材、４…保持部材、４０…終端部材、４１…本体、４１Ａ…第一端部、４１Ｒ…内側リブ部、４１１…第一本体、４１１ａ…辺、４１１１…穴、４１１２…第一本体の端部、４１２…第二本体、４１２１…第二本体の端部、４２…固定部、４２１…穴、４２２…第三端部、４２２Ａ…第三リブ部、４２２Ｂ…第四リブ部、４２３…第三端部の隣接部位、４２４…固定部の内側の端部、４３…第二端部、４３１…第一部位、４３１Ａ…第一リブ部、４３１Ｂ…第二リブ部、４３２…第二部位、４３３…第二端部の隣接部位、４４…接続部材、４４１…接続部材本体、４４２…第一延設部、４４３…第二延設部、４４４…被連結部、４４４１…穴、４５…固定部材、４５１…ボルト、４５２…ナット、４７…外部入出力用端子、５…インシュレータ、６…バスバ、５００…電池モジュール、５０１…二次電池、５０１Ａ…電池群、５０２…筐体、５０２ａ…壁、５０２ｂ…挿通孔、５０３…ボルト、５０３ａ…軸部、５０４…ナット、５１０…エンドプレート、５１１…挟持部、５１２…固定部、５１３…挿通孔、Ｂ…境界部
【図１】
2020030915.tif 000003
【図２】
2020030915.tif 000004
【図３】
2020030915.tif 000005
【図４】
2020030915.tif 000006
【図５】
2020030915.tif 000007
【図６】
2020030915.tif 000008
【図７】
2020030915.tif 000009
【図８】
2020030915.tif 000010